(57)【要約】【課題】    印画紙マガジンから印画紙をまっすぐに引き出す。【解決手段】    用紙を挟持しつつ搬送可能な、圧着ローラ４２および駆動ローラ４３からなる搬送ローラ対と、駆動ローラ４３を回転駆動させるためのモータと、外周用遮光部材の幅方向端部と当接する一対のガイド部材１２とを有している印画紙引き出し装置１を用いて、引き出し側先端に外周用遮光部材が取り付けたロール状の印画紙が装填された印画紙マガジンから、外周用遮光部材を搬送ローラ対で挟持しつつ、印画紙ロールを巻き解く方向に搬送し、印画紙引き出し装置１の排出口２３から印画紙がでてくるまで外周用遮光部材および印画紙を引き出す。【選択図】        図１
2006023414.tif 000002
【特許請求の範囲】
【請求項１】
引き出し側先端に遮光用のシート部材を取り付けたロール状の印画紙が装填された印画紙マガジンから、前記シート部材と共に前記印画紙を引き出すための装置であって、
前記シート部材および前記印画紙を挟持しつつ前記ロール状の印画紙が巻き解かれる方向に搬送可能な搬送ローラ対と、
前記搬送ローラ対を回転駆動させるための駆動機構と、
前記シート部材の幅方向端部と当接する一対のガイド部材とを有していることを特徴とする印画紙引き出し装置。
【請求項２】
前記駆動機構が前記搬送ローラ対に接続されたハンドルを含んでいることを特徴とする請求項１に記載の印画紙引き出し装置。
【請求項３】
前記駆動機構によって回転駆動する前記搬送ローラ対の駆動力を、前記印画紙マガジンが有する前記シート部材および前記印画紙を挟持しつつ前記ロール状の印画紙を巻き解く引き出しローラ対に伝達する駆動力伝達機構をさらに備えていることを特徴とする請求項１または２に記載の印画紙引き出し装置。
【発明の詳細な説明】
【技術分野】
【０００１】
本発明は、遮光紙と共に巻回された印画紙を供給マガジン内から引き出すための印画紙引き出し装置に関する。
【背景技術】
【０００２】
写真焼付装置において用いられるロール状の印画紙には、明室環境下での印画紙マガジンへの装填を可能にするために、図７（ａ）に示すような、外周面用遮光部材４０２と一対の側面用遮光部材４０３とからなる遮光部材で覆われているものがある。外周面用遮光部材４０２は、帯状となっており、その一端が印画紙４０１の引き出し側（外周面）の先端に接合されている。そして、印画紙４０１よりも僅かに広い幅となっており、ロール状の印画紙４０１の最外周を覆って遮光する。一対の側面用遮光部材４０３は、外周面用遮光部材４０２の幅方向の両端にそれぞれ接合されている。一対の側面用遮光部材４０３は、図７（ｂ）に示すように、印画紙ロール４００の両側面を包み込むように外端が巻芯４０１ａの開口内に入れられて接合される。これにより、周面部の端から巻芯４０１ａの開口に渡る両側面が遮光される。なお、外周用遮光部材４０２と側面用遮光部材４０３との接合部は、容易に破断することができるようになっている。
【０００３】
したがって、印画紙マガジンに印画紙ロール４００を装填する際の作業としては、印画紙マガジンの筐体を開いた状態で印画紙ロール４００をセットし、外周面用遮光部材４０２の引き出し側の先端を印画紙マガジンの筐体に形成された印画紙排出口まで引き出して印画紙マガジンの筐体を閉じ、筐体内を暗室状態に保持する。その後、外周面用遮光部材４０２の先端を手で引っ張ることで、外周面用遮光部材４０２を側面用遮光部材４０３から破断させつつ、印画紙４０１が印画紙マガジンの印画紙排出口から出てくるまで外周面用遮光部材４０２を全て引き出し、不要となった外周面用遮光部材４０２を切り離す。
【０００４】
特許文献１には、上述のような遮光部材で覆われた印画紙ロール４００を装填する、明室装填用の印画紙マガジンが開示されている。かかる印画紙マガジンには、印画紙４０１の搬送位置を規制するために、印画紙４０１の幅方向端部と当接する一対のガイド部材が設けられている。
【特許文献１】特開２００４−４５６２７号公報
【発明の開示】
【発明が解決しようとする課題】
【０００５】
しかしながら、手で外周用遮光部材４０２を引き出す場合には、外周用遮光部材４０２が印画紙マガジン内のガイドからはずれてしまうことがある。その結果、印画紙４０１もガイドからはずれてしまい、印画紙マガジンから印画紙４０１をまっすぐに引き出すことができなくなる。したがって、もう一度印画紙ロール４００を印画紙マガジン内に装着し直す必要がある。このように、手で印画紙マガジンから印画紙４０１をまっすぐに引き出すのは困難である。
【０００６】
そこで、本発明の目的は、印画紙マガジンから印画紙をまっすぐに引き出すための専用装置を提供することである。
【課題を解決するための手段及び効果】
【０００７】
本発明の印画紙引き出し装置は、引き出し側先端に遮光用のシート部材を取り付けたロール状の印画紙が装填された印画紙マガジンから、前記シート部材と共に前記印画紙を引き出すための装置であって、前記シート部材および前記印画紙を挟持しつつ搬送可能な搬送ローラ対と、前記搬送ローラ対を回転駆動させるための駆動機構と、前記シート部材の幅方向端部と当接する一対のガイド部材とを有している。
【０００８】
この構成によると、ガイド部材によって、シート部材の搬送位置を規制することができるので、シート部材をまっすぐに引き出すことができる。その結果、印画紙マガジンから印画紙をまっすぐに引き出すことが可能となる。
【０００９】
本発明の印画紙引き出し装置は、前記駆動機構が前記搬送ローラ対に接続されたハンドルを含んでいてもよい。この構成によると、搬送ローラ対をモータ等によって駆動させる場合に使用される電力を必要としない。したがって、搬送ローラ対を駆動させるためのコストを削減することができる。
【００１０】
本発明の印画紙引き出し装置は、前記駆動機構によって回転駆動する前記搬送ローラ対の駆動力を、前記印画紙マガジンが有する前記シート部材および前記印画紙を挟持しつつ前記ロール状の印画紙を巻き解く引き出しローラ対に伝達する駆動力伝達機構をさらに備えていてもよい。この構成によると、印画紙マガジンが有する引き出しローラ対に駆動力が付与されるので、よりスムーズに印画紙を引き出すことが可能となる。
【発明を実施するための最良の形態】
【００１１】
以下、本発明の好適な一実施の形態について、図面を参照しつつ説明する。図１は、本実施の形態に係る印画紙引き出し装置１の概略斜視図である。
【００１２】
本実施の形態の印画紙引き出し装置１は、図７に示すような外周用遮光部材４０２と側面用遮光部材４０３とからなる遮光部材で覆われた印画紙ロール４００を、印画紙マガジン１０１（図２参照）から引き出す装置であって、図１に示すように、いずれも略直方体形状のボディー筐体１０とカバー筐体２０とを備えている。なお、図１（ｂ）に示す、互いに直交する矢印Ｘ、Ｙ、Ｚはそれぞれ本実施の形態に係る印画紙引き出し装置１の幅方向、奥行き方向、上下方向をそれぞれ示している。また、本実施の形態において、印画紙引き出し装置１、ボディー筐体１０およびカバー筐体２０のＸ方向一端面である右手前面を右側面、右側面と対向する面を左側面、Ｙ方向一端面である左手前面を前面、前面と対向する面を背面とする。
【００１３】
ボディー筐体１０の上面１１における背面側の一辺と、カバー筐体２０の下面２１における背面側の一辺とは、ヒンジ３０にて連結されている。したがって、印画紙引き出し装置１は、図１（ｂ）に示すように、ボディー筐体１０の上面１１とカバー筐体２０の下面２１とが対向する状態（以降、「カバー筐体２０が閉じた状態」と称する）と、図１（ａ）に示すように、ボディー筐体１０の上面１１とカバー筐体２０の下面２１とが対向しない状態（以降、「カバー筐体２０が開いた状態」と称する）とを取り得る。
【００１４】
図１（ａ）に示すように、筐体２０の下面２１には、下に開いた凹部２２が形成されている。したがって、カバー筐体２０が閉じた状態であるとき、ボディー筐体１０とカバー筐体２０との間に、後述する印画紙マガジン１０１から引き出された外周用遮光部材４０２または印画紙４０１（以降、外周用遮光部材４０２と印画紙４０１とを総称して「用紙」とする）が搬送される搬送空間が形成される。搬送空間内において、用紙は、正面から背面に向かう方向（矢印Ａで示す方向）に搬送される。つまり、後述するように、正面にセットされた印画紙マガジンか１０１から引き出された用紙は、背面においてカバー筐体２０に形成された排出口２３から排出される。
【００１５】
ボディー筐体１０の内部には、圧着ローラ４２が配置されている。また、ボディー筐体１０の上面１１の中央部分には、開口１１ａが形成されており、圧着ローラ４２の一部分が、開口１１ａからボディー筐体１０の外に突出している。一方、カバー筐体２０の内部には、モータ４４（図４参照）によって回転駆動させられる駆動ローラ４３が配置されている。さらに、カバー筐体２０の凹部２２の底部の中央部分には、開口２２ａが形成されており、駆動ローラ４３の一部分が、開口２２ａからカバー筐体２０の外に突出している。そして、カバー筐体２０が閉じた状態であるとき、圧着ローラ４２と駆動ローラ４３とが接触し、搬送ローラ対４１（図４参照）を構成する。
【００１６】
ボディー筐体１０の上面１１には、用紙の搬送方向に沿って一対のガイド部材１２が設けられている。なお、一対のガイド部材１２の幅は、外周用遮光部材４０２の幅と実質的に等しい。したがって、搬送空間内において、外周用遮光部材４０２は、その幅方向端部がガイド部材１２と当接する状態で搬送される。これにより、搬送空間における外周用遮光部材４０２の搬送位置を規制することができる。
【００１７】
ボディー筐体１０の上面１１における正面側には、凹んだ段差部１４が形成されている。また、カバー筐体２０の下面２１における正面側には、凹んだ段差部２４が形成されている。そして、図１（ｂ）に示すように、カバー筐体２０が閉じた状態であるとき、印画紙引き出し装置１の正面には、ボディー筐体１０の段差部１４と、カバー筐体２０の段差部２４とによって、凹部４が幅方向に沿って形成される。この凹部４には、後述する印画紙マガジン１０１の排出部１２０がはめ込まれる。
【００１８】
また、ボディー筐体１０の上面１１には、昇降可能なピン１６が設けられている。ピン１６は、カバー筐体２０が開いた状態であるときには、図１（ａ）に示すように、ボディー筐体１０の上面１１から突出した状態であり、カバー筐体２０が閉じた状態であるときは、カバー筐体２０の下面２１に押圧され、下降するようになっている。さらに、ボディー筐体１０の段差部１４の正面と平行な面には、Ｙ方向に突出しているバー１７が設けられている。このバー１７は、ピン１６が下降するのに伴って下降する。
【００１９】
さらに、ボディー筐体１０の正面における左側面側には張出部１５が形成されている。そして、張出部１５のＸ方向一端面には、後述する印画紙マガジン１０１に形成された位置決め孔１２５と嵌合する突起体１５ａが形成されている。また、カバー筐体２０の正面における左側面側には張出部２５が形成されている。
【００２０】
加えて、ボディー筐体１０の左側面上方、およびカバー筐体２０の左側面下方には一対のファスナ１８、２８が設けられている。そして、カバー筐体２０が閉じた状態であるときに、ファスナ１８、２８を閉めることによって、ボディー筐体１０とカバー筐体２０とを固定することができる。
【００２１】
ここで、図２および図３を参照しつつ、本実施の形態の印画紙引き出し装置１がセットされる印画紙マガジン１０１について説明する。図２は、印画紙マガジン１０１の斜視図である。図３は、印画紙マガジン１０１に印画紙引き出し装置１がセットされた状態を示す断面図である。なお、図２に示す、互いに直交する矢印Ｘ、Ｙ、Ｚは、印画紙マガジン１０１の幅方向、奥行き方向、上下方向を示している。図２に示す印画紙マガジン１０１は、Ｙ方向一端面である左手前面が正面である。そして、印画紙引き出し装置１がセットされる際には、印画紙マガジン１０１の正面と印画紙引き出し装置１の正面とが対向する。
【００２２】
印画紙マガジン１０１は、内部に印画紙ロール４００が装填される略直方体形状の装填部１１０と、装填部１１０に装填された印画紙ロール４００から、外周面用遮光部材４０２または印画紙４０１が排出される排出部１２０と、装填部１１０の上面から幅方向に沿って突出している突出部１３０とから構成される筐体１４０を有している。
【００２３】
排出部１２０は、装填部１１０の正面から幅方向に沿って張り出しており、図３に示すように、印画紙引き出し装置１がセットされた際に、印画紙引き出し装置１の凹部４にはめ込まれる。
【００２４】
排出部１２０の正面には、排出部１２０から外周面用遮光部材４０２または印画紙４０１が排出される排出口１２１が幅方向に沿って形成されている。図３に示すように、この排出口１２１は、印画紙引き出し装置１がセットされた際に、印画紙引き出し装置１の内部に形成される搬送空間に接続されるように形成されている。また、排出部１２０の正面には、印画紙引き出し装置１のバー１７が挿入される開口１２２が形成されている。バー１７が開口１２２に挿入された状態で、カバー筐体２０が閉じた状態となり、ピン１６が下降するのに伴ってバー１７が下降すると、印画紙マガジン１の筐体１４０内に設けられている遮光用のシャッタ（図示せず）が開く。
【００２５】
さらに、排出部１２０の幅方向一端面には、印画紙引き出し装置１がセットされた際に、印画紙引き出し装置１に形成された突起体１５ａと嵌合し、印画紙引き出し装置１に対する印画紙マガジン１の位置決めを可能とする位置決め孔１２５が形成されている。
【００２６】
また、図３に示すように、筐体１４０内には、装填部１１０に装填された印画紙ロール４００から、右上方向に引き出された用紙の搬送方向を変更するガイドローラ１５１と、用紙を挟持しつつ排出口１２１から引き出す引き出しローラ対１５２とが配置されている。さらに、引き出しローラ対１５２は、用紙の下側に配置される圧着ローラ１５３と用紙の上側に配置される駆動ローラ１５４とからなる。駆動ローラ１５４は、印画紙引き出し装置１の駆動ローラ４３の駆動力が駆動力伝達機構２０１により伝達されることによって回転駆動する。
【００２７】
ここで、駆動力伝達機構の概略構成を示す図４を参照しつつ、駆動力伝達機構２０１について説明する。図４に示すように、駆動力伝達機構２０１は、印画紙引き出し装置１に設けられており、モータ４４によって回転駆動させられる駆動ローラ４３の駆動軸４３ａの一端に取り付けられた駆動ギア４３ｂと、駆動ギア４３ｂと噛み合う第１の伝達ギア２１１と、第１の伝達ギア２１１と噛み合う第２の伝達ギア２１２と、第２の伝達ギア２１２と噛み合う第３の伝達ギア２１３と、印画紙マガジン１に設けられた駆動ローラ１５４の駆動軸１５４ａの一端に取り付けられた被伝達ギア１５４ｂとからなる。
【００２８】
三つの伝達ギア２１１〜２１３は、いずれも印画紙引き出し装置１のカバー筐体２０内に設けられており、図１に示すように、第３の伝達ギア２１３の一部分は、張出部２５の正面からカバー筐体２０の外に突出している。また、図２に示すように、被伝達ギア１５４ｂの一部分は、筐体１４０の正面から筐体１４０の外に突出している。そして、印画紙マガジン１０１に印画紙引き出し装置１をセットした際に、第３の伝達ギア２１３と被伝達ギア１５４ｂとが噛み合うようになっている。
【００２９】
以上のような構成により、まず、モータ４４の駆動力が伝達されて駆動ローラ４３の駆動軸４３ａが回転するのに伴って、駆動ギア４３ａが回転する。そして、駆動ギア４３ａの回転が、三つの伝達ギア２１１〜２１３及び被伝達ギア１５４ｂに次々に伝達され、被伝達ギア１５４ｂが回転する。このようにして、被伝達ギア１５４ｂが回転するのに伴って、駆動ローラ１５４の駆動軸１５４ａが回転する。
【００３０】
次に、図５を参照しつつ、印画紙マガジン１０１から印画紙４０１を引き出す手順を説明する。
【００３１】
まず、ステップＳ１０１として、印画紙マガジン１０１に印画紙ロール４００を装填し、印画紙マガジン１０１の排出口１２１から外周用遮光部材４０２が出ている状態とする。次に、ステップＳ１０２として、印画紙マガジン１０１に印画紙引き出し装置１をセットする。このとき、印画紙引き出し装置１のカバー筐体２０は開いた状態である。そして、ステップＳ１０３として、外周用遮光部材４０２を、その幅方向両端部がボディー筐体１０の上面１１に配置されている一対のガイド部材１２と当接すると共に、引き出し方向先端部近傍が印画紙引き出し装置１の排出口２３から出ている状態とする。その後、ステップＳ１０４として、カバー筐体２０を閉じて固定する。
【００３２】
次に、ステップＳ１０５として、モータ４４の駆動を開始する。このとき、搬送ローラ対４１が外周用遮光部材４０２を挟持しつつ回転し、印画紙マガジン１０１内から外周用遮光部材４０２がまっすぐに引き出される。そして、ステップＳ１０６として、印画紙引き出し装置１の排出口２３から外周用遮光部材４０２を全て引き出し、印画紙４０１が出てきたかどうかを判定する。印画紙４０１が出てきていない場合には（ステップＳ１０６：ＮＯ）、印画紙４０１が出てくるまでステップＳ１０６の判定を繰り返す。一方、印画紙４０１が出てきた場合には（ステップＳ１０６：ＹＥＳ）、ステップＳ１０７に進み、モータ４４の駆動を停止し、印画紙４０１の引き出しを停止する。
【００３３】
そして、ステップＳ１０８として、印画紙引き出し装置１の排出口２３から引き出された外周用遮光部材４０２を印画紙４０１から切り離す。さらに、ステップＳ１０９として、印画紙引き出し装置１を印画紙マガジン１０１から外す。その後、印画紙４０１の先端を印画紙マガジン１０１内に巻き戻す。
【００３４】
以上のように、本実施の形態の印画紙引き出し装置１は、用紙を挟持しつつ印画紙ロール４００が巻き解かれる方向に搬送可能な搬送ローラ対４１と、搬送ローラ対４１の駆動ローラ４３を回転駆動させるためのモータ４４と、外周用遮光部材４０２の幅方向端部と当接する一対のガイド部材１２とを有している。したがって、ガイド部材１２によって、外周用遮光部材４０２の搬送位置を規制することができるので、外周用遮光部材４０２をまっすぐに引き出すことができる。その結果、印画紙マガジン１０１から印画紙４０１をまっすぐに引き出すことが可能となる。
【００３５】
また、本実施の形態の印画紙引き出し装置１は、印画紙引き出し装置１が有する、モータ４４によって回転駆動する駆動ローラ４３の回転力を、印画紙マガジン１０１が有する引き出しローラ対１５２の駆動ローラ１５４に伝達する駆動力伝達機構２０１を備えている。したがって、印画紙マガジン１０１が有する引き出しローラ対１５２の駆動ローラ１５４に駆動力が付与されるので、よりスムーズに用紙を引き出すことが可能となる。
【００３６】
以上、本発明の好適な一実施の形態について説明したが、本発明は上述の実施の形態に限られるものではなく、特許請求の範囲に記載した限りにおいて、様々な設計変更を行うことが可能なものである。
【００３７】
例えば、上述の実施の形態では、印画紙引き出し装置１が有する駆動ローラ４３がモータ４４によって駆動させられる場合について説明したが、駆動ローラ４３の駆動源はモータ４４には限られない。図６に示すように、駆動ローラ４３の駆動軸４３ａの一端にハンドル４３ｃを取り付け、手でハンドル４３ｃを回すことによって、駆動ローラ４３を回転駆動させてもよい。この場合には、駆動ローラ４３を駆動させるためのコストを削減することができる。
【００３８】
また、上述の実施の形態では、印画紙引き出し装置１が有する、モータ４４によって回転駆動する駆動ローラ４３の回転力を、印画紙マガジン１０１が有す引き出しローラ対１５２の駆動ローラ１５４に伝達する駆動力伝達機構２０１を備えている場合について説明したが、駆動力伝達機構２０１はなくてもよい。
【図面の簡単な説明】
【００３９】
【図１】本発明の実施の形態に係る印画紙引き出し装置の概略斜視図である。
【図２】図１の印画紙引き出し装置をセットする印画紙マガジンの斜視図である。
【図３】図１の印画紙引き出し装置と図２の印画紙マガジンとがセットされた状態を示す断面図である。
【図４】図１の印画紙引き出し装置と図２の印画紙マガジンとに設けられる駆動力伝達機構を示す図である。
【図５】図１の印画紙引き出し装置によって図２の印画紙マガジンから印画紙を引き出す手順を示すフローチャートである。
【図６】図１の印画紙引き出し装置が有する駆動ローラを駆動させる駆動源の一変形例を示す図である。
【図７】図２の印画紙マガジンに装填される印画紙ロールを示す図である。
【符号の説明】
【００４０】
１  印画紙引き出し装置
１０  ボディー筐体
１２  ガイド部材
２０  カバー筐体
４１  搬送ローラ対
４２  圧着ローラ
４３  駆動ローラ
４３ａ  駆動ギア
４４  モータ（駆動機構）
１０１  印画紙マガジン
１５２  引き出しローラ対
１５３  圧着ローラ
１５４  駆動ローラ
１５４ｂ  駆動ギア
２０１  駆動力伝達機構
２１１〜２１３  第１〜第３伝達ギア
４００  印画紙ロール
４０１  印画紙
４０２  外周用遮光部材
４０３  側面用遮光部材
【図１】
2006023414.tif 000003
【図２】
2006023414.tif 000004
【図３】
2006023414.tif 000005
【図４】
2006023414.tif 000006
【図５】
2006023414.tif 000007
【図６】
2006023414.tif 000008
【図７】
2006023414.tif 000009